(57)【要約】【課題】洗浄ノズルの簡易な動作でシャッター部材の開き角度を調整可能とする。【解決手段】装置本体に収容されその開口から進退移動可能に設けられた洗浄ノズルを有する洗浄便座装置であって、開口を開閉するように回動軸を支点に回動可能なシャッター部材と、シャッター部材に回動可能に連結される連結軸が一端に設けられると共に洗浄ノズルと係合する係合部が他端に設けられ、洗浄ノズルの直動運動をシャッター部材の回動運動に変換するリンク部材と、を備え、洗浄ノズルは、係合部の変位をガイドするガイド部が設けられ、ガイド部は、洗浄ノズルの進退移動に伴って係合部を変位させてリンク部材を作動させることで、シャッター部材を開き角度が変化するように回動させる。【選択図】図８
2019143408.tif 000002
【特許請求の範囲】
【請求項１】
装置本体に収容されその開口から進退移動可能に設けられた洗浄ノズルを有する洗浄便座装置であって、
前記開口を開閉するように回動軸を支点に回動可能なシャッター部材と、
前記シャッター部材に回動可能に連結される連結軸が一端に設けられると共に前記洗浄ノズルと係合する係合部が他端に設けられ、前記洗浄ノズルの直動運動を前記シャッター部材の回動運動に変換するリンク部材と、
を備え、
前記洗浄ノズルは、前記係合部の変位をガイドするガイド部が設けられ、
前記ガイド部は、前記洗浄ノズルの進退移動に伴って前記係合部を変位させて前記リンク部材を作動させることで、前記シャッター部材を開き角度が変化するように回動させる
洗浄便座装置。
【請求項２】
請求項１に記載の洗浄便座装置であって、
前記ガイド部は、前記洗浄ノズルの進退方向に対して傾斜して延びる傾斜部と、前記傾斜部に繋がり前記洗浄ノズルの進退方向に対して平行に延びる平行部とにより構成され、前記平行部として前記係合部の変位量が異なるように段違い状に設けられた少なくとも２つの平行部を有する
洗浄便座装置。
【請求項３】
請求項１または２に記載の洗浄便座装置であって、
前記ガイド部は、前記係合部を前記回動軸から遠ざける方向に変位させるように設けられ、
前記シャッター部材側から前記回動軸、前記連結軸の順となるように１の前記リンク部材が配置される
洗浄便座装置。
【請求項４】
請求項１または２に記載の洗浄便座装置であって、
前記ガイド部は、前記係合部を前記回動軸に近付ける方向に変位させるように設けられ、
前記シャッター部材側から前記連結軸、前記回動軸の順となるように１の前記リンク部材が配置される
洗浄便座装置。
【請求項５】
請求項１ないし４のいずれか１項に記載の洗浄便座装置であって、
前記ガイド部は、外面で前記係合部をガイドするように露出して設けられる
洗浄便座装置。
【請求項６】
請求項１ないし４のいずれか１項に記載の洗浄便座装置であって、
前記ガイド部は、内面で前記係合部をガイドするように溝状に設けられる
洗浄便座装置。
【発明の詳細な説明】
【技術分野】
【０００１】
本発明は、洗浄便座装置に関する。
【背景技術】
【０００２】
従来、この種の洗浄便座装置としては、人体の局部に向けて洗浄水を噴出する２つの洗浄ノズルと、各洗浄ノズルをそれぞれ進退移動させる駆動手段と、洗浄ノズルの進出に連動して開くシャッター部材と、を備えるものが提案されている（例えば、特許文献１参照）。この洗浄便座装置では、２つの洗浄ノズルのうち一方の洗浄ノズルの外周面に径方向に突出する凸部が設けられている。そして、他方の洗浄ノズルを所定位置まで進出させてその洗浄ノズルを後退させる前に、一方の洗浄ノズルを進出させることでシャッター部材の裏面を凸部で押し上げるものとしている。これにより、洗浄ノズルの先端部に当接してシャッター部材が開く場合と、シャッター部材の裏面を凸部で押し上げる場合とでシャッター部材の開き角度を異なるものとすることができる。このため、例えば温風発生装置から人体の局部に向けて温風を送風する際にシャッター部材を適切な開き角度に調整できるものとなる。
【先行技術文献】
【特許文献】
【０００３】
【特許文献１】特開２０１７−２０６９１４号公報
【発明の概要】
【発明が解決しようとする課題】
【０００４】
上述した洗浄便座装置では、凸部でシャッター部材を押し上げるために他方の洗浄ノズルを進出させた状態で一方の洗浄ノズルを進出させており両洗浄ノズルの制御が必要となるから、洗浄ノズルを１つのみ備える構成に適用することができない。また、洗浄ノズルのできるだけ簡易な動作でシャッター部材の開き角度を調整できるようにするために、なお改善の余地がある。
【０００５】
本発明は、洗浄ノズルの簡易な動作でシャッター部材の開き角度を調整可能とすることを主目的とする。
【課題を解決するための手段】
【０００６】
本発明は、上述の主目的を達成するために以下の手段を採った。
【０００７】
本発明の洗浄便座装置は、装置本体に収容されその開口から進退移動可能に設けられた洗浄ノズルを有する洗浄便座装置であって、前記開口を開閉するように回動軸を支点に回動可能なシャッター部材と、前記シャッター部材に回動可能に連結される連結軸が一端に設けられると共に前記洗浄ノズルと係合する係合部が他端に設けられ、前記洗浄ノズルの直動運動を前記シャッター部材の回動運動に変換するリンク部材と、を備え、前記洗浄ノズルは、前記係合部の変位をガイドするガイド部が設けられ、前記ガイド部は、前記洗浄ノズルの進退移動に伴って前記係合部を変位させて前記リンク部材を作動させることで、前記シャッター部材を開き角度が変化するように回動させることを要旨とする。
【０００８】
本発明の洗浄便座装置では、装置本体の開口を開閉するシャッター部材に回動可能に連結される連結軸が一端に設けられると共に洗浄ノズルと係合する係合部が他端に設けられ、洗浄ノズルの直動運動をシャッター部材の回動運動に変換するリンク部材を備える。また、洗浄ノズルは、係合部の変位をガイドするガイド部が設けられ、ガイド部は、洗浄ノズルの進退移動に伴って係合部を変位させてリンク部材を作動させることでシャッター部材を開き角度が変化するように回動させる。これにより、洗浄ノズルの複雑な動作を必要とすることなく簡易な動作でシャッター部材の開き角度を調整可能とすることができる。
【０００９】
本発明の洗浄便座装置において、前記ガイド部は、前記洗浄ノズルの進退方向に対して傾斜して延びる傾斜部と、前記傾斜部に繋がり前記洗浄ノズルの進退方向に対して平行に延びる平行部とにより構成され、前記平行部として前記係合部の変位量が異なるように段違い状に設けられた少なくとも２つの平行部を有するものとしてもよい。こうすれば、各平行部で係合部の変位量が段階的に異なるものとなるから、シャッター部材の開き角度を少なくとも２段階に変化させることができる。また、平行部は傾斜部に繋がるため係合部を滑らかに変位させてシャッター部材の開き角度をスムーズに調整することができる。
【００１０】
本発明の洗浄便座装置において、前記ガイド部は、前記係合部を前記回動軸から遠ざける方向に変位させるように設けられ、前記シャッター部材側から前記回動軸、前記連結軸の順となるように１の前記リンク部材が配置されるものとしてもよい。あるいは、本発明の洗浄便座装置において、前記ガイド部は、前記係合部を前記回動軸に近付ける方向に変位させるように設けられ、前記シャッター部材側から前記連結軸、前記回動軸の順となるように１の前記リンク部材が配置されるものとしてもよい。これらのようにすることで、１のリンク部材を用いる簡易な構成でシャッター部材の開き角度を調整することができる。
【００１１】
本発明の洗浄便座装置において、前記ガイド部は、外面で前記係合部をガイドするように露出して設けられるものとしてもよい。これにより、ガイド部が設けられた洗浄ノズルが進退移動していない状態でガイド部が係合部の変位を規制することがないものなる。このため、例えば２つの洗浄ノズルのうち一方の洗浄ノズルにガイド部を設けた構成において、他方の洗浄ノズルの移動によりシャッター部材が回動した際に係合部の変位が許容されるから、一方の洗浄ノズルを同期して移動させる必要がないものとすることができる。
【００１２】
あるいは、本発明の洗浄便座装置において、前記ガイド部は、内面で前記係合部をガイドするように溝状に設けられるものとしてもよい。これにより、ガイド部は、係合部の変位をガイドすることでシャッター部材を開方向に回動させるだけでなく閉方向に回動させることができる。このため、例えばシャッター部材を閉状態とするための部材を省略することができるから、部品点数を削減することが可能となる。
【図面の簡単な説明】
【００１３】
【図１】洗浄便座装置１０が取り付けられた便器１の外観斜視図である。
【図２】便座装置本体１１の外観斜視図である。
【図３】カバー１１ｂを取り外した便座装置本体１１の概略構成図である。
【図４】第１洗浄ノズル２１の概略構成図である。
【図５】シャッターユニット４０の分解斜視図である。
【図６】シャッターユニット４０の分解斜視図である。
【図７】第１洗浄ノズル２１とシャッターユニット４０の概略構成図である。
【図８】シャッター板４２の作動の様子を示す説明図である。
【図９】シャッター板４２の作動の様子を示す簡易モデル図である。
【図１０】溝状のガイド１２４を用いる変形例の簡易モデル図である。
【図１１】リンク部材２５６を押し上げる変形例の簡易モデル図である。
【図１２】溝状のガイド３２４を用いる変形例の簡易モデル図である。
【図１３】複数のリンク部材を用いる変形例の簡易モデル図である。
【発明を実施するための形態】
【００１４】
次に、本発明を実施するための形態について説明する。
【００１５】
図１は洗浄便座装置１０が取り付けられた便器１の外観を示す外観斜視図であり、図２は便座装置本体１１の外観斜視図であり、図３はカバー１１ｂを取り外した便座装置本体１１の概略構成図である。また、図４は第１洗浄ノズル２１の概略構成図であり、図５，図６はシャッターユニット４０の分解斜視図であり、図７は第１洗浄ノズル２１とシャッターユニット４０の概略構成図である。なお、図４（ａ）が第１洗浄ノズル２１の平面図、図４（ｂ）が右側側面図、図４（ｃ）が正面図である。便器１は、図１に示すように、洋式腰掛便器であり、便器１の上面に洗浄便座装置１０が設置されている。洗浄便座装置１０は、便座装置本体１１と、便座装置本体１１に回動自在に支持された便座１２と、便座１２と同様に便座装置本体１１に回動自在に支持された便蓋１３と、操作パネル１４と、を備える。
【００１６】
便座装置本体１１は、図２，３に示すように、便器１の上面に固定される樹脂製のベースプレート１１ａと、当該ベースプレート１１ａに着脱自在に取り付けられる樹脂製のカバー１１ｂとにより構成されるケースを有する。カバー１１ｂの前面中央部には、便座１２への使用者の着座を検知する着座センサ１５が設けられている。また、便座装置本体１１は、給水管（水道配管）に接続された洗浄水流路や止水弁、洗浄水を加熱する熱交換ユニット、洗浄水の強さを調整する脈動ポンプ、洗浄水を噴出するノズルユニット２０、温風を吹き出す乾燥ユニット３０などを備える。熱交換ユニットは、水タンクやヒータ、温度センサが設けられ、給水管からの水をヒータによって加熱して温水にする。
【００１７】
ノズルユニット２０は、図３に示すように、人体の局部に洗浄水を噴出するおしり洗浄ノズルおよびビデ洗浄ノズルとして設けられた第１および第２洗浄ノズル２１，２５と、第１および第２洗浄ノズル２１，２５を支持するようにベースプレート１１ａに固定されるベース２８と、第１および第２洗浄ノズル２１，２５を選択的に進退移動させる図示しないノズル駆動ユニットと、第１および第２洗浄ノズル２１，２５に選択的に洗浄水を供給する切替バルブと、などを備える。ノズル駆動ユニットは、モータやラックアンドピニオン機構等を含む図示しないアクチュエータにより構成されており、第１および第２洗浄ノズル２１，２５をベース２８から前方へ進出した洗浄位置とベース２８内に収容された収容位置との間でそれぞれ独立して進退移動させる。
【００１８】
第１洗浄ノズル２１は、図４に示すように、伸縮しない単段式の軸状部材として構成され先端側（図４中下側）に図示しない噴出孔が形成されたノズル本体２２と、ノズル本体２２の後端側に形成され切替バルブに接続された図示しない供給ホースが接続される接続口２３と、ノズル本体２２の下面側に部分的に隆起するように形成され後述するリンク部材５６の係合部５６ｂの変位をガイドするガイド２４と、を備える。ガイド２４は、ノズル本体２２の先端から離間するにつれて第１洗浄ノズル２１の進退方向（軸方向）から離間するように傾斜する第１傾斜面２４ａと、第１傾斜面２４ａに繋がって第１洗浄ノズル２１の進退方向と平行に延びる平行面２４ｂと、平行面２４ｂに繋がると共にノズル本体２２の下面２２ａに繋がるように傾斜する第２傾斜面２４ｃと、を有する。なお、側方からみて、ノズル本体２２の下面２２ａは第１洗浄ノズル２１の進退方向と平行に延びるものとなり、平行面２４ｂと下面２２ａとは第１洗浄ノズル２１の軸中心からの距離が異なる段違い状（段差ｓ）となる。なお、第１洗浄ノズル２１は、洗浄水の勢いの異なる２種類の噴出孔を有し、各噴出孔のそれぞれに洗浄水を供給する２つの接続口２３が設けられている。また、第２洗浄ノズル２５は、図３に示すように、伸縮しない単段式の軸状部材として構成され先端側に図示しない噴出孔が形成されたノズル本体２６と、ノズル本体２６の後端側に形成され切替バルブに接続された図示しない供給ホースが接続される接続口２７と、を備える。なお、第２洗浄ノズル２５には、ガイド２４は設けられていない。
【００１９】
乾燥ユニット３０は、図３に示すように、ベースプレート１１ａに固定された温風ダクト３２と、温風ダクト３２の後端に設けられたファン３４と、温風ダクト３４内に設けられた図示しないヒータと、などを備える。温風ダクト３２は、前方側に図示しない吹き出し口が形成されている。乾燥ユニット３０は、ファン３４により送風されてヒータにより加熱された温風を温風ダクト３２の吹き出し口から送風可能となっている。
【００２０】
また、便座装置本体１１は、洗浄便座装置１０を制御する図示しない制御装置を備える。制御装置は、操作パネル１４や着座センサ１５、水タンクの温度センサなどからの信号に基づいて、水タンク内のヒータや脈動ポンプ、ノズルユニット２０（ノズル駆動ユニットや切替バルブ）、乾燥ユニット３０（ファンやヒータ）を制御する。操作パネル１４には、図示しないが、おしり洗浄を指示するおしり洗浄スイッチやビデ洗浄を指示するビデ洗浄スイッチ、洗浄の強さを調整する洗浄強さ調整スイッチ、温風の送風を指示する乾燥スイッチ、洗浄の停止や送風の停止を指示する停止スイッチなどが設けられている。
【００２１】
また、便座装置本体１１には、図２に示すように、第１および第２洗浄ノズル２１，２５が進退移動するための開口１１ｃが形成されており、この開口１１ｃを開閉するためのシャッターユニット４０が設けられている。シャッターユニット４０は、図５〜図７に示すように、開口１１ｃの幅に合わせて左右に延びる平板状のシャッター板４２と、ベースプレート１１ａに取り付けられるベース部材４５と、シャッター板４２が取り付けられると共にベース部材４５に回動可能に支持される回動部材５１と、第１および第２洗浄ノズル２１，２５の軸方向に沿った直動運動を回動運動に変換するリンク部材５６と、ベース部材４５と回動部材５１との間に配設されるバネ５９と、を備える。なお、シャッター板４２と回動部材５１とを別部材とするものに限られず、一部材として構成してもよい。
【００２２】
シャッター板４２は、開口１１ｃを閉じる閉状態（図２参照）で第１および第２洗浄ノズル２１，２５の先端部と、温風ダクト３２の吹き出し口とを覆う。これにより、第１および第２洗浄ノズル２１，２５、温風ダクト３２の吹き出し口、更にはその周辺部の汚れを抑制したり、両者を隠して美観を維持したりすることが可能となる。ベース部材４５は、左右両端に上下方向に貫通した取付孔４５ａが形成されており、この取付孔４５ａを介してネジやピンなどの取付部材を用いてベースプレート１１ａに取り付けられる。
【００２３】
回動部材５１は、ベース部材４５の左右両端に形成された軸孔４５ｂに回動可能に支持される回動軸５２ａとシャッター板４２の裏面から立設した嵌合凸部４２ａが嵌め合わされる嵌合凹部５２ｂとを含みフック状に湾曲した一対の側部５２と、一対の側部５２の回動軸５２ａ間に架け渡されるように回動軸５２ａ間を連結する連結部５３と、連結部５３の一端側（右側）から上方に延出しリンク部材５６の一端を支持する支持部５４と、を有する。リンク部材５６は、アーム状の部材であり、回動部材５１の支持部５４に回動可能に支持される連結軸５６ａを上端（一端）に有し、第１洗浄ノズル２１のガイド２４や下面２２ａと係合する係合部５６ｂを下端（他端）に有する。バネ５９は、回動部材５１のバネ受け部５５と、ベース部材４５のバネ受け部４６との間に配設され、回動部材５１をシャッター板４２の閉状態側に付勢する。なお、回動部材５１の回動軸５２ａとリンク部材５６の連結軸５６ａとは、シャッター板４２側からこの順に位置するものとなる。
【００２４】
こうして構成されたシャッターユニット４０におけるシャッター板４２の動作について説明する。図８はシャッター板４２の作動の様子を示す説明図であり、図９はシャッター板４２の作動の様子を示す簡易モデル図である。なお、図９は、第１洗浄ノズル２１の直動運動をシャッター板４２の回動運動に変換する様子を簡略化したものであり、図示の便宜上シャッター板４２の開き角度や位置が図８と異なる。収容位置にある第１洗浄ノズル２１（図８（ａ），図９（ａ））が進出すると、第１洗浄ノズル２１の先端に押されたシャッター板４２がバネ５９の付勢力に抗して開方向即ち図中左回りに回動する。また、第１洗浄ノズル２１の進出に伴って、ガイド２４はリンク部材５６の係合部５６ｂ（図８では図示略）に第１傾斜面２４ａが係合して係合部５６ｂを下方に変位させるから、リンク部材５６を徐々に下方に作動させる（引き下げる）ことになる。このため、リンク部材５６の連結軸５６ａを支持部５４で支持する回動部材５１が回動軸５２ａを支点に図中左回りに回動し、フック状の側部５２の先端側（嵌合凹部５２ｂ側）を上方に向ける。これにより、回動部材５１（嵌合凹部５２ｂ）に固定されたシャッター板４２が図中左回りに回動して開状態となる（図８（ｂ））。この開状態を、第１開状態（通常開状態）という。
【００２５】
そして、第１洗浄ノズル２１がさらに進出すると、ガイド２４はリンク部材５６の係合部５６ｂに平行面２４ｂが係合し、係合部５６ｂの下方への変位量を最大の状態とする。このため、リンク部材５６の作動量（下方への移動量）も最大となり、回動部材５１を図中左回りに最大角度で回動させてシャッター板４２を最も大きく開いた状態とする（図８（ｃ），図９（ｂ））。この状態は、第１開状態よりもシャッター板４２の開き角度が拡大された状態であり、第２開状態（拡大開状態）という。このように、ガイド２４は、第１洗浄ノズル２１の移動に伴って下方即ち回動部材５１の回動軸５２ａから遠ざける方向に係合部５６ｂを変位させてリンク部材５６を作動させることにより、回動部材５１を回動させてシャッター板４２の開き角度を変化させるのである。なお、図８（ｃ）の状態から、さらに第１洗浄ノズル２１が進出すると、係合部５６ｂは第２傾斜面２４ｃを経て第１洗浄ノズル２１の下面２２ａと係合する状態となり、平行面２４ｂと係合していたときよりも上方に変位する。このため、第２開状態（拡大開状態）よりもリンク部材５６の作動量が減少し、回動部材５１が図中右回りに回動するため、シャッター板４２の開き角度が減少する。この状態では、シャッター板４２の開き角度は、第１開状態と略同じ角度となる（図８（ｄ））。
【００２６】
次に、こうして構成された洗浄便座装置１０の動作について説明する。洗浄便座装置１０の図示しない制御装置は、着座センサ１５からの信号に基づいて使用者が便器１（便座１２）に着座していると判定する状態で、操作パネル１４のおしり洗浄スイッチが押下されると、第１洗浄ノズル２１を洗浄位置まで移動させる。この第１洗浄ノズル２１の移動（進出）に伴って、上述したように、シャッター板４２は、閉状態（図８（ａ））から第１開状態（図８（ｂ））を経て第２開状態（図８（ｃ））となった後に、第１開状態（図８（ｄ））となる。このため、シャッター板４２を第１開状態としておしり洗浄が行われる。シャッター板４２の第１開状態は、第２開状態よりもシャッター板４２の開き角度が小さく、シャッター板４２と第１洗浄ノズル２１との隙間が狭いものとなっている。このため、おしり洗浄中に飛散した洗浄水や汚れなどがシャッター板４２と第１洗浄ノズル２１との隙間から開口１１ｃを通って便座装置本体１１内に入るのを抑制することができる。そして、操作パネル１４の停止スイッチが押下されると、制御装置は第１洗浄ノズル２１を収容位置まで移動させる。この第１洗浄ノズル２１の移動（後退）に伴って、シャッター板４２は、第１開状態（図８（ｄ））から第２開状態（図８（ｃ））を経て第１開状態（図８（ｂ））となった後に、バネ５９の付勢力により閉状態（図８（ａ））となる。
【００２７】
同様に、洗浄便座装置１０の制御装置は、操作パネル１４のビデ洗浄スイッチが押下されると、第２洗浄ノズル２５を洗浄位置まで移動させる。第２洗浄ノズル２５は上述したようにガイド２４が設けられておらず、リンク部材５６も第２洗浄ノズル２５側には配置されていない。第２洗浄ノズル２５の移動（進出）に伴って、第２洗浄ノズル２５に押されることにより、シャッター板４２が閉状態から第１開状態となるが第２開状態とはならない。このため、シャッター板４２を第１開状態としてビデ洗浄が行われる。シャッター板４２を第１開状態とすることで、ビデ洗浄中も飛散した洗浄水などがシャッター板４２と第２洗浄ノズル２５との隙間から便座装置本体１１内に入るのを抑制することができる。そして、操作パネル１４の停止スイッチが押下されると、制御装置は第２洗浄ノズル２５を収容位置まで移動させる。この第２洗浄ノズル２５の移動（後退）に伴って、シャッター板４２は、第１開状態から閉状態となる。本実施形態のガイド２４は外部に露出した外面（第１および第２傾斜面２４ａ，２４ｃや平行面２４ｂ）により係合部５６ｂをガイドするものであり、第１洗浄ノズル２１が収容位置で停止している場合に係合部５６ｂの変位を拘束することはない。このため、第２洗浄ノズル２５の移動によりシャッター板４２が回動してリンク部材５６が作動するのを許容することができるから、第２洗浄ノズル２５を移動させる際に第１洗浄ノズル２１を移動させる必要はない。
【００２８】
また、洗浄便座装置１０の制御装置は、操作パネル１４の乾燥スイッチが押下されると、シャッター板４２を第２開状態（図８（ｃ））とする位置、即ちガイド２４の平行面２４ｂが係合部５６ｂに係合して変位させる位置まで、第１洗浄ノズル２１を移動させる。このため、制御装置は、シャッター板４２を第２開状態として、温風ダクト３２の吹き出し口から温風を送風する。上述したように、温風ダクト３２の吹き出し口は閉状態のシャッター板４２により覆われるため、温風を送風するためにシャッター板４２を開状態とする必要がある。また、温風を人体局部に効率よく送風するためには、シャッター板４２と第１洗浄ノズル２１との隙間を大きくすることが好ましく、このためにシャッター板４２を第１開状態よりも開き角度の大きな第２開状態とするのである。したがって、温風ダクト３２の吹き出し口からの温風を人体局部に効率よく送風して乾燥を促進することができる。このように、第１開状態はシャッター板４２を局部洗浄に適した開き角度とし、第２開状態はシャッター板４２を温風の送風に適した開き角度としている。
【００２９】
以上説明した洗浄便座装置１０は、開口１１ｃを開閉するシャッター板４２（回動部材５１）に回動可能に連結される連結軸５６ａが一端に設けられると共に第１洗浄ノズル２１のガイド２４や下面２２ａと係合する係合部５６ｂが他端に設けられたリンク部材５６を備える。ガイド２４は、第１洗浄ノズル２１の進退移動に伴って係合部５６ｂを変位させてリンク部材５６を作動させることにより、シャッター板４２を開き角度が変化するように回動させる。これにより、第１洗浄ノズル２１を進退移動させる簡易な動作でシャッター板４２の開き角度を調整可能とすることができる。また、１のリンク部材５６を追加する簡易な構成でシャッター板４２の開き角度を調整可能とすることができる。
【００３０】
また、ガイド２４は、第１および第２傾斜面２４ａ，２４ｃと、平行面２４ｂとにより構成され、第１洗浄ノズル２１の下面２２ａは、平行面２４ｂと段違い状となっている。このため、平行面２４ｂと下面２２ａとで係合部５６ｂの変位量を異なるものとして、シャッター板４２の開き角度を２段階に変化させることができる。また、平行面２４ｂと下面２２ａは第１傾斜面２４ａや第２傾斜面２４ｃに繋がるから係合部５６ｂを滑らかに変位させてシャッター板４２の開き角度の調整をスムーズに行うことができる。
【００３１】
また、ガイド２４は、外形に露出するように設けられており、第１洗浄ノズル２１が収容位置で停止している場合に係合部５６ｂの変位を拘束しないから、第２洗浄ノズル２５の移動時に第１洗浄ノズル２１を移動させる必要がないものとすることができる。
【００３２】
上述した実施形態では、第１洗浄ノズル２１の下面２２ａを係合部５６ｂのガイドに用いるものとしたが、これに限られず、ガイド２４を第１洗浄ノズル２１の後端まで延在するように構成するものなどとして、係合部５６ｂのガイドを全てガイド２４で行うものとしてもよい。
【００３３】
上述した実施形態では、ガイド２４が外形に露出するものとしたが、これに限られず、溝状のガイドなどとしてもよい。図１０は溝状のガイド１２４を用いる変形例の簡易モデル図である。この変形例では、第１および第２傾斜面２４ａ，２４ｃと同様に傾斜する第１および第２傾斜面１２４ａ，１２４ｃと、平行面２４ｂと同様に延びる平行面１２４ｂとを、溝内の図中上方側の内面として有し、係合部５６ｂが摺動可能な溝幅に形成された溝状のガイド１２４を備える。この変形例でも、図９（図８）と同様に第１洗浄ノズル２１の進出に伴ってリンク部材５６を作動させてシャッター板４２を開状態とすることができる。また、変形例では、係合部５６ｂの変位が溝で拘束されるため、第１洗浄ノズル２１の進退移動に伴って、係合部５６ｂをシャッター板４２の開方向と閉方向のいずれにも変位させることができる。即ち、第１洗浄ノズル２１が収容位置まで移動すると、係合部５６ｂも元の位置（図１０（ａ））に戻ってリンク部材５６を初期状態とするから、シャッター板４２を閉状態とすることができる。このため、シャッター板４２を閉状態とするバネ５９を省略して部品点数を削減することができる。ただし、係合部５６ｂの変位が拘束されるから、第２洗浄ノズル２５の移動（進出）に伴ってシャッター板４２が回動する際に係合部５６ｂを変位可能とするために第１洗浄ノズル２１を移動させる必要がある。このため、制御装置は、第２洗浄ノズル２５を進退移動させる際に、少なくともシャッター板４２が第１開状態となるまで、第１洗浄ノズル２１と第２洗浄ノズル２５の両方のノズル駆動ユニットを同期して制御する必要が生じる。
【００３４】
実施形態では、ガイド２４は係合部５６ｂが下方に変位するようにガイドするものとしたが、これに限られず、係合部が上方に変位するようにガイドしてリンク部材５６を押し上げるように作動させるものとしてもよい。図１１はリンク部材２５６を押し上げる変形例の簡易モデル図である。なお、図示の便宜上、シャッター板４２の開き角度や位置が図９などと異なる。図示するように、この変形例では、ガイド２４とは逆に上方側に隆起し、第１傾斜面２２４ａと平行面２２４ｂと第２傾斜面２２４ｃとを有するガイド２２４を備える。リンク部材２５６は、一端の係合部２５６ｂがガイド２２４と係合し、他端の連結軸２５６ａが回動部材２５１の図示しない連結部に回動可能に連結される。回動部材２５１は、回動軸２５２ａに回動可能に支持される。なお、リンク部材２５６の連結軸２５６ａと回動部材２５１の回動軸２５２ａとは、シャッター板４２側からこの順に位置するものとなる。この変形例では、第１洗浄ノズル２１の移動に伴ってガイド２２４が係合部２５６ｂを上方に変位させてリンク部材２５６を上方に作動させ、これに伴って回動部材２５１が回動してシャッター板４２を開状態（第２開状態）とする（図１１（ｂ））。
【００３５】
また、図１２は溝状のガイド３２４を用いる変形例の簡易モデル図である。この変形例では、ガイド２４を図１０の溝状のガイド１２４としたように、ガイド２２４を、第１傾斜面３２４ａと平行面３２４ｂと第２傾斜面３２４ｃとを溝の内面として有する溝状のガイド３２４として構成したものである。このため、図１１と同様に、第１洗浄ノズル２１の移動に伴ってシャッター板４２を開状態とすることができる（図１２（ｂ））。
【００３６】
実施形態では、１つのリンク部材５６を用いるものとしたが、これに限られず、複数のリンク部材で構成されたリンク機構を用いるものなどとしてもよい。図１３は複数のリンク部材を用いる変形例の簡易モデル図である。この変形例では、図示するように、４つのリンク部材４５６，４５７，４５８，４５９が連結されたリンク機構を用いる。これらの４つのリンク部材４５６〜４５９は、回動可能に連結されると共に、リンク部材４５７が回動軸４５２ａに回動可能に支持されている。ガイド４２４は、リンク部材４５６の係合部４５６ｂの変位をガイドする。また、回動部材４５１は、リンク部材４５６の連結部４５６ａに連結される。この変形例では、係合部４５６ｂを第１洗浄ノズル２１の進退方向への移動を規制する規制部（第２ガイド）４２５が設けられている。この変形例でも、第１洗浄ノズル２１の移動に伴ってガイド４２４で係合部４５６ｂの変位をガイドしてリンク部材４５６〜４５９を作動させることで、シャッター板４２を開状態とすることができる（図１３（ｂ））。なお、上述した実施形態においても、規制部４２５のように、係合部５６ｂ，２５６ｂの移動を規制する規制部を設けるものとしてもよい。この規制部は、第１洗浄ノズル２１に設けてもよいし、ベースプレート１１ａに設けてもよい。
【００３７】
実施形態では、第１および第２洗浄ノズル２１，２５の２本の洗浄ノズルのうち一方にガイドが設けられるものとしたが、これに限られず、両方にガイドを設けて２本のリンク部材を用いるものとしてもよい。また、ノズルユニット２０が２本の洗浄ノズルを備えるものに限られず、ガイドが設けられた１本の洗浄ノズルのみを備えるものとしてもよい。
【００３８】
実施形態では、段違い状の２つの平行面２４ｂと下面２２ａにより係合部５６ｂの変位が異なるようにガイドすることで、シャッター板４２の開状態を２段階に変化させるものとしたが、これに限られず、第１洗浄ノズル２１の進退方向と平行に延びる平行面を３つ以上備えて、シャッター板４２の開状態を３段階以上に変化させるものとしてもよい。あるいは、このような進退方向と平行に延びる平行面を備えずに、傾斜面のみで係合部５６ｂが変位するようにガイドすることで、シャッター板４２の開状態（開き角度）を無段階に変化させるものなどとしてもよい。
【００３９】
実施形態では、シャッター板４２を局部洗浄に適した開き角度と温風の送風に適した開き角度とに変化させるものとしたが、これに限られず、温風の送風以外に洗浄便座装置１０が有する所定機能に適した開き角度に変化させるものとしてもよい。例えば、便器１の便鉢部の表面に汚物が付着するのを抑制するために、便鉢部の表面に水を噴霧する機能を有するものであれば、その噴霧に適した開き角度に変化させるものであればよい。
【００４０】
本実施形態の主要な要素と課題を解決するための手段の欄に記載した発明の主要な要素との対応関係について説明する。本実施形態では、第１洗浄ノズル２１が「洗浄ノズル」に相当し、回動軸５２ａ，２５２ａ，４５２ａが「回動軸」に相当し、シャッター板４２と回動部材５１，２５１，４５１が「シャッター部材」に相当し、連結軸５６ａ，２５６ａ，４５６ａが「連結軸」に相当し、係合部５６ｂ，２５６ｂ，４５６ｂが「係合部」に相当し、リンク部材５６，２５６，４５６〜４５９が「リンク部材」に相当し、ガイド２４，１２４，２２４，３２４，４２４と下面２２ａが「ガイド部」に相当する。また、第１傾斜面２４ａ，１２４ａ，２２４ａ，３２４ａや第２傾斜面２４ｃ，１２４ｃ，２２４ｃ，３２４ｃが「傾斜部」に相当し、平行面２４ｂ，１２４ｂ，２２４ｂ，３２４ｂや下面２２ａが「平行部」に相当する。
【００４１】
なお、本実施形態の主要な要素と課題を解決するための手段の欄に記載した発明の主要な要素との対応関係は、本実施形態が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、本実施形態は課題を解決するための手段の欄に記載した発明の具体的な一例に過ぎないものである。
【００４２】
以上、本発明を実施するための形態について説明したが、本発明はこうした実施形態に何等限定されるものではなく、本発明の要旨を逸脱しない範囲内において、種々なる形態で実施し得ることは勿論である。
【産業上の利用可能性】
【００４３】
本発明は、洗浄便座装置の製造産業などに利用可能である。
【符号の説明】
【００４４】
１  便器、１０  洗浄便座装置、１１  便座装置本体、１１ａ  ベースプレート、１１ｂ  カバー、１１ｃ  開口、１２  便座、１３  便蓋、１４  操作パネル、１５  着座センサ、２０  ノズルユニット、２１  第１洗浄ノズル、２２，２６  ノズル本体、２２ａ  下面、２３，２７  接続口、２５  第２洗浄ノズル、２４，１２４，２２４，３２４，４２４  ガイド、２４ａ，１２４ａ，２２４ａ，３２４ａ  第１傾斜面、２４ｂ，１２４ｂ，２２４ｂ，３２４ｂ  平行面、２４ｃ，１２４ｃ，２２４ｃ，３２４ｃ  第２傾斜面、２８  ベース、３０  乾燥ユニット、３２  温風ダクト、３４  ファン、４０  シャッターユニット、４２  シャッター板、４２ａ  嵌合凸部、４５  ベース部材、４５ａ  取付孔、４５ｂ  軸孔、４６  バネ受け部、５１，２５１，４５１  回動部材、５２，２５２，４５２  側部、５２ａ，２５２ａ，４５２ａ  回動軸、５２ｂ  嵌合凹部、５３  連結部、５４  支持部、５５  バネ受け部、５６，２５６，４５６〜４５９  リンク部材、５６ａ，２５６ａ，４５６ａ  連結軸、５６ｂ，２５６ｂ，４５６ｂ  係合部、５９  バネ、４２５  規制部。
【図１】
2019143408.tif 000003
【図２】
2019143408.tif 000004
【図３】
2019143408.tif 000005
【図４】
2019143408.tif 000006
【図５】
2019143408.tif 000007
【図６】
2019143408.tif 000008
【図７】
2019143408.tif 000009
【図８】
2019143408.tif 000010
【図９】
2019143408.tif 000011
【図１０】
2019143408.tif 000012
【図１１】
2019143408.tif 000013
【図１２】
2019143408.tif 000014
【図１３】
2019143408.tif 000015